(57)【特許請求の範囲】
【請求項１】
壁面に設置されたシャワー装置は、鏡の下端に横設された回転軸から、水路を形成する２本の左アーム及び右アームを上方へ向かって立設させ、左アーム及び右アームには複数の散水ノズルを設け、前記左アーム及び右アームを手前に倒して使用者の姿勢に合わせた任意の位置に保持できるように構成したことを特徴とするシャワー装置。
【発明の詳細な説明】
【０００１】
【産業上の利用分野】
この発明は、浴室に設置されるシャワー装置に関するものである。
【０００２】
【従来の技術及びその課題】
従来、例えば特開平９−１２２０３４号公報に開示されているように、上部に回転軸を有し、下方に延びたアームにノズルを付けたシャワー装置とか、特開平８−２８０５６８号に開示されているように、横方向に回転可能なアームにノズルを付けたシャワー装置が存在しているが、何れも、椅子に着座して全身シャワーを浴びるには問題がないが、立った状態や、椅子なしで腰を降ろした状態などでは使用することができないものであり、また、全身シャワーと通常のシャワー行為（洗髪とか身体を洗う等）では身体の向きが反対となり、全身シャワーを浴びながら鏡を見ることができず、向きを変えるのが面倒で使用勝手が悪いという問題点があった。また、座った状態でアームを動かすには身体をひねる必要があり、操作がし辛いという問題点があった。また、アームが身体の横を通る必要があるため、装置の幅サイズ等が大きく、大型のものとなってしまうという問題点があった。
【０００３】
【課題を解決するための手段】
本発明は上記従来の問題点に鑑み案出したものであって、立った状態でも、椅子に座った状態でも、椅子なしで腰を降ろした状態でも、簡単に使用できて全身にシャワーを浴びることのできるシャワー装置を提供せんことを目的とし、その要旨は、壁面に設置されたシャワー装置は、鏡の下端に横設された回転軸から、水路を形成する２本の左アーム及び右アームを上方へ向かって立設させ、左アーム及び右アームには複数の散水ノズルを設け、前記左アーム及び右アームを手前に倒して使用者の姿勢に合わせた任意の位置に保持できるように構成したことである。
【０００４】
【実施例】
以下、本発明の実施例を図面に基づいて説明する。
図１は、シャワー装置を備えた浴室の斜視構成図であり、浴室内の浴槽１の側方の洗い場２の壁面３には、通常のシャワーヘッド４とは別に、全身シャワーを浴びることのできるシャワー装置５が設置されており、シャワー装置５は、鏡６の下端に横設された回転軸７を介して手前側へ倒すことができるように構成され、回転軸７から２本の左アーム８Ａ及び右アーム８Ｂが上方へ向かって立設されており、左アーム８Ａ，右アーム８Ｂはそれぞれ回転軸７側から上方に延びるに従い、壁面３から手前側へ膨らんで湾曲状に形成された湾曲部８ａとなっており、湾曲部８ａの上端側は壁面３側の後方側へ戻り、上端の曲がり部８ｂから手前側へ上傾して上端突出部８ｃが一体形成されたものとなっており、アーム８Ａ，８Ｂ内は前記回転軸７から湯水が供給される水路を内部に形成しており、それぞれ上下に所定間隔で散水ノズル９ｂ，９ｂが設けられたものとなっており、前記上端突出部８ｃには、使用者の背中にシャワー水を噴出させることのできる背用ノズル９ａが設けられ、逆に下端の回転軸７側には、使用者の足元にシャワー水を噴出させる足用ノズル９ｃ，９ｃが設けられたものとなっている。なお、この足用ノズル９ｃ，９ｃは、アーム８Ａ，８Ｂ内の水を抜く水抜き用にも利用できるように構成されている。
【０００５】
また、回転軸７の下方のカウンター１０上に、前記シャワーヘッド４からシャワー水を噴出させるために操作する通常シャワー用ハンドル１１ａと、前記シャワー装置５の散水ノズル９ａ，９ｂ，９ｃからシャワー水を噴出させる際に操作する全身シャワー用ハンドル１１ｂが設けられている。また、カウンター１０の下方には洗面器を置くための洗面器台１２が設けられている。
【０００６】
このような構成においては、図２のように、鏡６に向かって立った状態で、各アーム８Ａ，８Ｂの湾曲部８ａを手で持って手前側へ僅かに倒すことにより、上端突出部８ｃが肩の上から背中側に被さり、背用ノズル９ａから背中に向かってシャワー水を良好に噴出させて背中を暖めることができるものとなり、また、湾曲部８ａは手前側へ湾曲しているため、使用者の腹から背中に近づいた状態で、散水ノズル９ｂから良好に腹から肩にかけて散水させることができ、また、足用ノズル９ｃから足に散水させることができ、全身にシャワーを浴びることができるものとなる。
【０００７】
なお、回転軸７は内部に摩擦部材を設けて、任意の位置で固定できるように構成されており、アーム８Ａ，８Ｂを手前側に倒して任意の位置で保持させることができ、図３に示すように、椅子１３に座った状態でも使用することができ、この場合にも上端突出部８ｃが背中側に達して、背用ノズル９ａから背中に向かってシャワー水を噴出させることができるものとなり、また、足用ノズル９ｃから足元に向かってシャワー水を噴出させて足元を良好に暖めることができるものとなる。
【０００８】
さらに本例のシャワー装置では、洗い場２の床面に直接座った状態でも、また床面に寝そべった状態でも、あらゆる体勢に対応させて手前側へアーム８Ａ，８Ｂを倒して全身にシャワーを浴びることができるものであり、様々な身長の異なる人でもアーム８Ａ，８Ｂの位置を調節するだけで簡単に全身シャワーを浴びることができるものとなる。従って、椅子を使わなくても使用できるため、いちいち椅子を動かしたり、椅子が置き場所を取ったりすることなく、洗い場２を広く使用することができるものである。
【０００９】
また、鏡６に向かって通常の洗髪行為とか身体を洗う行為をする時に、身体の向きを変えることなく全身にシャワーを浴びることができ、シャワー用のハンドル１１ａ，１１ｂも身体の向きを変えることなく容易に操作することができる。また、車椅子に乗った状態で全身シャワーを浴びる場合も、同様に向きを変える必要がなく、介護が容易なものとなる。
しかも湾曲部８ａは手前側へ湾曲しているため、いろいろな姿勢で手を掛けやすく、身体をひねったりすることもなく良好にアーム８Ａ，８Ｂの位置を調整することができ、アーム８Ａ，８Ｂの操作が容易である。
また、左右のアーム８Ａ，８Ｂの幅間隔は身体よりも広くなくても良いために、幅方向はコンパクトにして設置することができるものとなる。
なお、このようなシャワー装置５では、カウンター１０とか水栓等の壁から突出するものが存在しても、これらに当たることがなく、干渉を避けてコンパクトに設置できるものである。
【００１０】
【発明の効果】
本発明の、壁面に設置されたシャワー装置は、鏡の下端に横設された回転軸から、水路を形成する２本の左アーム及び右アームを上方へ向かって立設させ、左アーム及び右アームには複数の散水ノズルを設け、前記左アーム及び右アームを手前に倒して使用者の姿勢に合わせた任意の位置に保持できるように構成したことにより、立った状態でも、椅子に座った状態でも、椅子なしで腰を降ろした状態でも、また、いろいろな身長の異なる人でも、アームの位置を調節するだけで簡単に全身シャワーを浴びることができるものとなる。
【図面の簡単な説明】
【図１】  シャワー装置の設置状態の斜視構成図である。
【図２】  立った状態での使用状態図である。
【図３】  座った状態での使用状態図である。
【符号の説明】
２  洗い場
３  壁面
４  シャワーヘッド
５  シャワー装置
６  鏡
７  回転軸
８Ａ  左アーム
８Ｂ  右アーム
８ａ  湾曲部
８ｂ  曲がり部
８ｃ  上端突出部
９ａ  背用ノズル
９ｂ  散水ノズル
９ｃ  足用ノズル
１０  カウンター
１１ａ  通常シャワー用ハンドル
１１ｂ  全身シャワー用ハンドル
【図１】
0003687064.tif 000002
【図２】
0003687064.tif 000003
【図３】
0003687064.tif 000004